(57)【要約】【課題】従来、家庭内でディジタルAV機器やPC等のコンテンツを共有する家庭内ネットワーク環境において、無線回線での接続を実現する為には、サーバの電源を常通しておく必要があり、無線回線でクライアントからサーバを起動することが出来ない。【解決手段】無線起動装置は、外部機器と接続可能な、無線によって通信を行う無線Ｉ／Ｆ部２０６と、外部機器と接続可能な、ケーブルを介して通信を行う有線Ｉ／Ｆ部２０７と、有線Ｉ／Ｆ部２０７の通信により無線Ｉ／Ｆ部２０６の起動制御を行う切換制御部２０５とを有する。【選択図】図２
2011103590.tif 000002
【特許請求の範囲】
【請求項１】
外部機器と接続可能な、無線によって通信を行う第１のインターフェース部と、
外部機器と接続可能な、ケーブルを介して通信を行う第２のインターフェース部と、
前記第２のインターフェース部の通信により前記第１のインターフェース部の起動制御を行う切換制御部と
を備える無線起動装置。
【請求項２】
前記第２のインターフェース部は、外部機器からの前記第１のインターフェース部への接続要求信号を受信し、前記接続要求信号と前記第２のインターフェース部が有する固有情報とを比較し、同一であると判断した場合に前記第１のインターフェース部を起動する為の切換要求信号を前記切換制御部に出力し、
前記切換制御部は、前記切換要求信号に従って、前記第１のインターフェース部を起動する
請求項１に記載の無線起動装置。
【請求項３】
前記第１のインターフェース部は、外部機器から接続終了信号を受信し、
前記切換制御部は、前記接続終了信号を検知して、前記第１のインターフェース部の接続を切断して電源供給を停止するとともに、前記第２のインターフェース部が起動していない場合に電源供給して起動するように制御する
請求項１に記載の無線起動装置。
【請求項４】
前記第２のインターフェース部に接続するケーブルは、アンテナケーブルである
請求項１から３のいずれかに記載の無線起動装置。
【請求項５】
前記第２のインターフェース部に接続するケーブルは、電気配線である
請求項１から３のいずれかに記載の無線起動装置。
【請求項６】
前記第２のインターフェース部が有する固有情報は、前記第１のインターフェース部が有する固有情報と同一である
請求項２に記載の無線起動装置。
【発明の詳細な説明】
【技術分野】
【０００１】
本発明は、音楽、写真、動画といったディジタルコンテンツを共有する為に無線回線及び有線回線のインターフェースを備えた機器に関し、特に外部機器との無線接続を実現する為の無線起動装置に関するものである。
【背景技術】
【０００２】
現在、テレビ放送ではアナログ放送からディジタル放送への移行が促進され、記録メディアではDVD（Digital Versatile Disc）からBD（Blu-ray Disc）へと大容量記録の対応が巷間に広がり、テレビをはじめとするAV機器のディジタル化が加速している。こうしたAV機器のディジタル化に伴い、映像や音声はディジタルデータとして扱えるようになり、パーソナルコンピュータ（以下PCと略す）との親和性が向上している。その為、異種機器間でコンテンツを共有し、コンテンツの保存場所に関係なく、どこでも視聴できる家庭内ネットワークを構築する為の標準化が進められている。その中の代表的なネットワーク規約の一例としてDLNA（Digital Living Network Alliance）が挙げられる。
【０００３】
DLNAは、音楽、写真、動画といったディジタルコンテンツをAV機器、PC、モバイル機器間でシームレスに共有する家庭内ネットワークを構築することを目的としており、インターネットで使われているIPネットワークを利用して、有線LAN（LANケーブル）或いは無線LAN（IEEE802.11a/b/g）により機器間通信を実現させる。DLNAに対応した機器は、コンテンツを保存し提供する機器である場合にサーバと呼ばれ、コンテンツを再生する機器である場合にクライアントと呼ばれ、代表的な機器として前者についてはハードディスクレコーダ（以下HDDレコーダと略す）、PC、ネットワーク型ハードディスク等が挙げられ、後者についてはテレビ、PC、ネットワークメディアプレーヤ等が挙げられる。DLNA環境下でコンテンツを再生する為には、まずサーバ及びクライアントを起動し、ネットワーク内でDLNA対応機器の検索を行う。次にユーザが視聴しようとするクライアント（例えばテレビ）に検出されたサーバ或いはコンテンツがリスト表示される。ユーザは目的のコンテンツを検索・選択することで再生が開始される。
【０００４】
一般的な家庭でDLNAの家庭内ネットワークを利用しようとすると、LANケーブル（イーサネット（登録商標）ケーブル）が配線済みの家庭は多くなく、各部屋に配するようにLANケーブルの架設工事を行うことはコストがかかる為、必然的に無線LANによるワイヤレス接続でデータ通信を行うことになる。
【０００５】
しかし、無線LANでのデータ通信を行う為には、データを配信するサーバとデータを受信・再生するクライアントがともに起動していることが前提である。通常、無線LANのアクセスポイントからはビーコンと呼ばれる信号（パケット）が送出されており、無線LANインターフェースを備えた機器がそのビーコンを受信し、利用可能な無線LANによるネットワークを検出して、ワイヤレス接続を実現するので、ビーコンを受信する為には電源が入っている（起動している）必要がある。有線LANが接続されていれば、クライアントから有線LAN経由でウェイクアップのコマンドを送信してサーバを起動することも可能であるが、無線LANのみでサーバを起動することは現状では不可能である。また、サーバに保存しているコンテンツを視聴する場合、クライアントからメニュー画面で該当サーバを選択するのと同期して、サーバの電源を入れてコンテンツの再生が行えるような連動機能があることが望ましく、選択時にサーバの起動を行うことで使用しない機器の電源供給をする必要がなく、小消費電力に寄与する効果がある。
【先行技術文献】
【非特許文献】
【０００６】
【非特許文献１】DLNAガイドライン
【発明の概要】
【発明が解決しようとする課題】
【０００７】
このように、家庭内でディジタルAV機器やPC等のコンテンツを共有する家庭内ネットワーク環境において、無線回線での接続を実現する為には、サーバの電源を常通しておく必要があり、無線回線でクライアントからサーバを起動することが出来ない課題がある。
【０００８】
本発明は、上記したような事情に鑑み成されたもので、その目的は、有線と無線の両方のインターフェースを装備し、有線インターフェースは同軸ケーブル或いは電源ケーブルを介して外部機器からの起動のリクエストを受けて、無線インターフェースを起動し、無線接続に切り換える切換機能を具備する無線起動装置を提供することである。
【課題を解決するための手段】
【０００９】
上記目的を達成するため、本発明の無線起動装置は、外部機器と接続可能な、無線によって通信を行う第１のインターフェース部と、外部機器と接続可能な、ケーブルを介して通信を行う第２のインターフェース部と、前記第２のインターフェース部の通信により前記第１のインターフェース部の起動制御を行う切換制御部とを有する。
【００１０】
前記第１のインターフェース部が起動しておらず、無線による通信が可能でない場合、前記第２のインターフェース部は、外部機器からの前記第１のインターフェース部への接続要求信号を受信し、前記接続要求信号と前記第２のインターフェース部が有する固有情報とを比較し、同一であると判断した場合に前記第１のインターフェース部を起動する為の切換要求信号を前記切換制御部に出力し、前記切換制御部は、前記切換要求信号に従って、前記第１のインターフェース部を起動してもよい。
【００１１】
前記第１のインターフェース部は、外部機器から接続終了信号を受信し、前記切換制御部は、前記接続終了信号を検知して、前記第１のインターフェース部の接続を切断して電源供給を停止するとともに、前記第２のインターフェース部が起動していない場合に電源供給して起動するように制御してもよい。
【００１２】
前記第２のインターフェース部に接続するケーブルは、例えばアンテナケーブル（同軸ケーブル）又は電気配線（電力線）である。
【００１３】
前記第２のインターフェース部が有する固有情報は、前記第１のインターフェース部が有する固有情報と同一であってもよい。
【発明の効果】
【００１４】
本発明の無線起動装置によれば、無線接続でのコンテンツ伝送を行う外部機器の起動を、有線接続を介して起動し、起動後に無線接続に切り換えるようにしたので、家庭内に新たにLANケーブルを架設、配線しないので、コストを抑えることが出来る。また、常態で無線I/F部を通電しておく必要がなく、視聴時のみに外部機器を起動するので、電力消費を抑制する効果がある。また、LANのような広帯域の伝送路を確保する必要がなく、狭帯域の伝送路でも無線I/F部を起動することが可能である。
【図面の簡単な説明】
【００１５】
【図１】本発明に係る無線起動装置を具備したテレビとHDDレコーダの接続構成概要を示す図である。
【図２】本発明に係る無線起動装置を具備したクライアント機器の構成を示すブロック図である。
【図３】本発明に係る無線起動装置を具備したクライアント機器を操作して入力切換メニュー画面を表示した一例を示す図である。
【図４】本発明に係る無線起動装置を具備したクライアント機器に、サーバ機器に保存されたコンテンツのリストを無線接続を介して表示した一例を示す図である。
【図５】本発明に係る無線起動装置を具備したサーバ機器の構成を示すブロック図である。
【図６】本発明に係る無線起動装置を具備したクライアント機器の処理のフローチャートである。
【図７】本発明に係る無線起動装置を具備したサーバ機器の処理のフローチャートである。
【図８】本発明に係る無線起動装置の送信側の有線I/Fにおける一例を示す図である。
【図９】本発明に係る無線起動装置の受信側の有線I/Fにおける一例を示す図である。
【発明を実施するための形態】
【００１６】
本発明を実施する好適な例として、本発明に係る無線起動装置を装備したテレビとHDDレコーダを接続する構成概要を図1に示す。テレビをクライアント機器100、HDDレコーダをサーバ機器110とし、ともに無線I/Fモジュール101及び111と有線I/Fモジュール102及び112を内蔵している。本実施例では、無線接続により映像や音声等のデータ通信を行い、コンテンツの選択及び再生を行うことを前提とし、有線接続では主としてクライアント−サーバ機器間の無線での回線接続を行う為に、機器の起動制御をするコマンド通信を行うこととする。無線接続では、無線アクセスポイント120を介して、無線LANにてクライアント機器100とサーバ機器110とが通信を行う。有線接続は、新たなLANケーブルの配線や工事を必要とせず、既に家庭に張り巡らされているアンテナケーブルを利用し、有線I/Fモジュール102及び112、分配器130を介して実現される。
【００１７】
以下に、図1で示される本発明に係る無線起動装置によるコンテンツ伝送の為の無線回線の接続処理の詳細を説明する。
【実施例】
【００１８】
本発明に係る実施形態によるクライアント機器及びサーバ機器の構成図を用いて、無線回線の接続の実現方法について説明する。
【００１９】
図1に示されるように、本実施例では、ユーザがクライアント機器100を起動して、視聴したいコンテンツを保存しているサーバ機器110を起動し、無線回線による接続を確立した後に、サーバ機器110から該当するコンテンツの映像音声ビットストリームを送信させ、クライアント機器100がビットストリームを受信して視聴する。尚、本実施例では、サーバ機器110はクライアント機器100を含む外部機器からのリクエストやユーザによる手動での電源供給或いはタイマー等による自動電源供給がなされない限り、内蔵している無線I/Fモジュール111には電源供給がされていないこととする。
【００２０】
（実施例1）
まず、クライアント機器100の構成について説明する。図2は本発明に係る無線起動装置を具備したクライアント機器100の構成を示す。図1の無線I/Fモジュール101及び有線I/Fモジュール102は、図2の無線I/F部206及び有線I/F部207に対応する。図2のクライアント機器100において、ユーザは視聴したいコンテンツを再生する為に、コンテンツを保存しているサーバ機器を選択する入力切換メニュー画面を表示させる為のリクエストをユーザI/F部202に入力する（s600、以下括弧内は図6及び図7のフローチャートのステップ番号を示す）。ユーザI/F部202はユーザが入力したリクエストをリクエスト信号に変換して制御部204に入力する。制御部204はリクエスト信号を判断し、GUI画面生成部203に入力切換メニュー画面を生成するように指示を送る。GUI画面生成部203は制御部204の指示に従って、入力切換メニュー画面を生成し、現在ディスプレイ201に表示されている画面に重畳して、図3に示されるような入力切換メニュー画面を表示する（s601）。図3は、ユーザがリモコン301を操作して入力切換メニュー画面を現在視聴している画面に重畳して表示させた例を示す図である。この例では、ユーザI/F部202はユーザ操作によるリモコン301から出力されたリモコン信号を制御部204が理解出来るリクエスト信号に変換する。ユーザは表示された入力切換メニュー画面から、再生可能なコンテンツを保存しているサーバ機器を選択する（s602）。本実施例では図1のHDDレコーダであるサーバ機器110を選択することとして、サーバ機器110に割当てている入力切換メニュー画面の入力先を選択する。図3では、サーバ機器110に割当てている入力先はネット1である。ユーザから選択された入力先を示すリクエストは、ユーザI/F部202に入力され、リクエスト信号に変換されて、制御部204に出力される。制御部204はリクエスト信号を判断して、入力要求されたサーバ機器との接続を図る為に、切換制御部205にリクエストを出力する。切換制御部205は、始めに無線I/F部206を選択する（s603）。無線I/F部206は入力要求されたサーバ機器110との接続を行う為に無線アクセスポイント120に対して、無線LANプロトコルに準拠した相手先検出信号を送信する。
【００２１】
入力要求されたサーバ機器110が検出された場合、無線アクセスポイント120から検出応答信号が送出され、無線I/F部206がこの信号を受信して、入力要求されたサーバ機器110との無線回線の接続が確立される。同時に無線I/F部206は無線接続されたことを示す接続可否信号を切換制御部205に出力する。切換制御部205は入力された接続可否信号を判定し、無線接続された場合、無線I/F部206に固定して、切換制御を停止する。
【００２２】
入力要求されたサーバ機器110が検出されなかった場合、無線アクセスポイント120から検出応答信号は送出されないので、無線I/F部206は相手先検出信号の送信時から所定時間が経過した後、サーバ機器110の無線I/F部501が起動状態にないと判断して、切換制御部205に無線接続不可の接続可否信号を出力する（s604）。切換制御部205は入力された接続可否信号を判定し、無線接続されなかった場合、有線I/F部207を選択し直す（s605）。有線I/F部207は入力要求されたサーバ機器110を起動する為に、アンテナケーブル（同軸ケーブル）を介して接続要求信号を送信する（s606）。図8に送信側の有線I/F部207を構成する一例を示す。有線I/F部207では、ユーザによって選択されたサーバ機器110の相手先検出信号が機器情報抽出部802に入力される。機器情報抽出部802は入力された相手先検出信号に基づいて該当する機器の情報を機器情報テーブル801の中から抽出し、変調部803に出力する。抽出された機器情報は機器を識別する機器固有の情報（例えばMACアドレス等）を含んでおり、他機器と混同しない情報となっている。変調部803は機器情報を変調して、家庭内で有線接続された機器に対して接続要求信号を送信する。変調部803は、例えば、アンテナケーブルに流れる信号に対して複数レベルの直流を重畳することで変調を行う。変調部803は、2レベルを切り換えて変調を行い、重畳する直流電圧のLoレベルに“0”を割り当て、Hiレベルに“1”を割り当てて、“0”若しくは“1”のパターン信号を出力する。出力される信号は、例えば、接続先の機器固有の情報であるMACアドレスが複数回繰り返されたパターン信号であって、イーサネット（登録商標）のフレームデータ領域に記録される。
【００２３】
次に、クライアント機器100からの接続要求を受けるサーバ機器110の構成について説明する。図5は本発明に係る無線起動装置を具備したサーバ機器110の構成を示す。図1の無線I/Fモジュール111及び有線I/Fモジュール112は、図5の無線I/F部501及び有線I/F部502に対応する。図5のサーバ機器110において、通常は切換制御部505により有線I/F部502が選択されており、有線I/F部502にのみ電源が供給され、待機状態となっている。
【００２４】
一方、無線I/F部501は無線接続されてコンテンツ伝送を行わない場合は電源が供給されないので、外部機器からの無線回線での接続要求を受信することは無い。サーバ機器110は有線I/F部502によりクライアント機器100からの接続要求信号を受信する（s701）。図9に受信側の有線I/F部502を構成する一例を示す。有線I/F部502では、復調部901が変調された接続要求信号を受信し、復調し、機器情報を出力する（s702）。比較部903は復調部901によって復調された機器情報とサーバ機器110固有の情報を記録している固有情報ROM902の中からサーバ機器110の情報を取り出し、比較を行う（s702）。同一でない場合は、有線I/F部502は無線I/F部501を起動せず、待機状態を継続する。同一であった場合には、有線I/F部502は無線回線への切換要求信号を切換制御部505に出力する（s703）。切換制御部505は切換要求信号が入力されると、サーバ機器110内の各部に対して電源供給の開始を指示する（s704）。更に、切換制御部505は、接続要求するクライアント機器100との接続を行う為に無線アクセスポイント120に対して、無線LANプロトコルに準拠した相手先検出信号を、無線I/F部501により送信させる（s705，s706）。この時、切換制御部505は、無線I/F部501を選択した場合、電力消費を抑える為に、有線I/F部502への電源供給を停止させる。
【００２５】
無線アクセスポイント120は、クライアント機器100の無線I/F部206から送信される相手先検出信号と、サーバ機器110の無線I/F部501から送信される相手先検出信号を受信し、双方の検出信号から接続先を判定し、クライアント機器100とサーバ機器110との無線回線を接続する（s607，s707）。
【００２６】
こうして、無線回線の接続による送受信が可能になったら、入力要求されたサーバ機器110からの応答として、図4に示されるようなサーバ機器110に保存されているコンテンツのリストがクライアント機器100に表示される（s608）。ユーザは視聴したいコンテンツを選択すると、ユーザI/F部202からコンテンツ選択信号が制御部204に出力される。図4は右下のライブコンテンツが選択されたことを示している。制御部204はコンテンツ選択信号を判断して、切換制御部205を介して無線I/F部206に、無線LANプロトコルに準拠したコンテンツリクエスト信号をサーバ機器110に送信させる。
【００２７】
サーバ機器110は、無線I/F部501によりクライアント機器100からのコンテンツリクエスト信号を受信し、コンテンツリクエスト信号は切換制御部505を介して制御部506に入力される。制御部506はコンテンツリクエスト信号を判断し、該当するコンテンツをHDD503から検出し、該当するコンテンツの映像音声ビットストリームデータを無線LANプロトコルに準拠したコンテンツ伝送信号に変換して無線I/F部501にクライアント機器100へ送信させる（s707）。
【００２８】
クライアント機器100はサーバ機器110から送信されたコンテンツ伝送信号を無線I/F部206により受信し、コンテンツ伝送信号を映像音声ビットストリームデータに変換し、切換制御部205を介して制御部204に入力する。制御部204は映像音声ビットストリームデータの符号化フォーマットを解析して、デコーダ部208にフォーマット形式を出力する。デコーダ部208は制御部204から入力されたフォーマット形式から復号に適したデコーダを選択し、映像音声ビットストリームデータを映像及び音声信号に復号してディスプレイ201及びスピーカに出力し、再生を開始する。こうして、ユーザは選択したコンテンツの視聴が無線回線を介して可能となる。
【００２９】
コンテンツの視聴が終了した後（s609）、クライアント機器100を操作して、入力切換メニュー画面を表示し、他の機器に入力を切り換える場合、電力消費を抑える為、サーバ機器110との無線回線による接続を切断してもよい。このような場合には、クライアント機器100ではユーザI/F部202に機器の入力切換信号が入力され、制御部204は、切り換えられる機器を指定するともに、切換制御部205に現在無線接続しているサーバ機器110との接続を終了する為のリクエスト信号を出力する。切換制御部205は、サーバ機器110との接続切断を行う為に、リクエスト信号を無線LANプロトコルに準拠した接続終了信号に変換し、無線I/F部206に、接続終了信号を無線アクセスポイント120を介して、サーバ機器110に送信させる（s610）。
【００３０】
サーバ機器110では、無線I/F部501がクライアント機器100から送信された接続終了信号を受信して、切換制御部505に出力する（s708）。切換制御部505は、無線I/F部501にクライアント機器100との無線回線の接続を切断させるとともに、無線I/F部501、制御部506、及びハードディスクドライブ503への電源供給を停止するように、電源部504に電源停止信号を出力する（s709）。更に、切換制御部505は有線I/F部502に接続先を切り換え、有線I/F部502を起動する為に、電源部504に電源供給開始信号を出力する。有線I/F部502は起動し、外部機器との接続待機の状態となる（s710）。
【００３１】
（実施例２）
実施例１では、有線接続を行う物理媒体及びI/Fとして、アンテナケーブルを利用する場合を例として説明したが、既に家庭内に配線されている電気配線（電力線）を利用してもよい。電力線を通信回線として利用する技術として電力線搬送通信（Power Line Communication、以下PLCと略す）が公知であり、電力信号に対してはるかに高い周波数で送受信されるデータの電気信号を重畳する。PLCで通信を行う為には、通常、PLCモデムを電源コンセントと機器の間に介する。PLCモデムは制御部にあたるマイコン処理部、MAC層処理部、物理層処理部、電力信号と変調信号とを重畳／分離する信号変換部から構成される。本実施例では、実施例１の図１におけるクライアント機器100内部の有線I/F部207及びサーバ機器110内部の有線I/F部502は電源部504（クライアント機器100では電源部を省略）と一体或いは連携した装置としての形態をとることになり、PLCモデムと同様の機能を有する。この場合、実施例１で機器に有線接続されていたケーブルは電力線ケーブルとなり、クライアント機器100の有線I/Fモジュール102及びサーバ機器110の有線I/Fモジュール112はそれぞれ電力線ケーブルで電源コンセントに接続される。その為、図１で示されるアンテナ壁面端子103及び113は電源コンセントに置き換えることとする。また、クライアント機器100及びサーバ機器110の中の構成を示す図２及び図５の有線I/F部207及び502も電力線ケーブルにより電源コンセントに接続されているものとする。本実施例では、実施例１にてクライアント機器100からの無線接続が不可であった場合に、切換制御部205は入力された接続可否信号を判定し、有線I/F部207を選択し直す（s605）以降の有線接続を介した無線接続確立までの処理について説明する。有線I/F部207は入力要求されたサーバ機器110を起動する為に、電力線ケーブルを介して接続要求信号を送信する（s606）。有線I/F部207は、まず、ユーザによって選択されたサーバ機器110を識別する機器固有の情報（例えばMACアドレス等）をMAC層処理部から出力する。この情報は他機器と混同しない情報であり、例えばMACアドレス等が挙げられる。次に、物理層処理部は、出力された情報をイーサネットのフレームフォーマットの中のデータ領域に記述して伝送用のフレームを生成し、変調を施した後にデータの電気信号に変換する。ここで、変調方式は、例えばPLCにて使用される広帯域スペクトラム拡散方式、マルチキャリア方式、又はOFDM（直交周波数分割多重：Orthogonal Frequency Division Multiplexing）方式を採用するものとする。信号変換部は、こうして生成されたデータの電気信号を電力信号に重畳して、接続要求信号として、家庭内で有線接続された機器に対して送信する。尚、データの電気信号は電力信号の周波数に比べてはるかに高い周波数が使われているので、電力信号と同じ電力線ケーブルに流しても互いに混ざり合うことはない。
【００３２】
次に、クライアント機器100からの接続要求を受けるサーバ機器110の処理を説明する。サーバ機器110は有線I/F部502によりクライアント機器100からの接続要求信号を受信する（s701）。有線I/F部502は、まず、信号変換部によりデータの電気信号と電力信号とに分離する。分離されたデータの電気信号は物理層処理部に入力され、イーサネットのフレームフォーマットの信号として復調され、フレームのデータ領域から機器固有の情報が抽出される。次に、MAC層処理部によりサーバ機器110自身の固有情報が取り出され、物理層処理部により抽出された固有情報と比較が行われる（s702）。同一でない場合は、サーバ機器110は無線I/F部501を起動せず、待機状態を継続する。同一であった場合には、サーバ機器110は無線回線への切換要求信号を切換制御部505に出力する（s703）。切換制御部505は切換要求信号が入力されると、サーバ機器110内の各部に対して電源供給の開始を指示する（s704）。更に、切換制御部505は、接続要求するクライアント機器100との接続を行う為に、無線I/F部501に、無線LANプロトコルに準拠した相手先検出信号を、無線アクセスポイント120へ送信させる（s705，s706）。この時、切換制御部505は、無線I/F部501を選択した場合、電力消費を抑える為に、有線I/F部502への電源供給を停止させる。
【００３３】
以上のように、本実施例でも実施例１と同様に電力線ケーブルを介した有線接続からの無線接続の起動が実現可能となる。
【００３４】
以上のように、本実施例における有線I/F部207及び502は、MAC層よりも上位層の処理を必要とせず、また、無線接続の起動を行う為の判定として固有情報の比較だけで済むので、簡単な回路で構成することが可能である。
【００３５】
また、比較する機器の固有情報としては、無線I/Fの固有情報を有線I/Fの固有情報と同じにすることで、機器の固有情報を一元化することが出来、有線I/FにROMを持たせる必要を無くすことが可能となる。
【００３６】
上述したように、本願は、無線通信が可能な機器を外部から起動（ウェイクアップ）させる為に、外部から有線接続を介して起動操作を行い、起動後に外部機器が無線接続に切り換えられ、コンテンツ伝送を行うようにするものであり、以下の利点を有する。
【００３７】
（１）有線接続は、LANのような広帯域の伝送路を確保する必要がなく、狭帯域の伝送路でも無線I/F部を起動することが可能である。
【００３８】
（２）家庭内に新たにLANケーブルを架設、配線しないので、コストを抑えることが出来る。
【００３９】
（３）常態で無線I/F部を通電しておく必要がなく、視聴時のみに外部機器を起動するので、電力消費を抑制する効果がある。
【００４０】
（４）有線I/Fは無線I/Fを起動する為だけに使用される為、部品点数が少ない回路構成で済み、廉価に製造することが出来る。
【符号の説明】
【００４１】
100 クライアント機器（テレビ）
101 無線I/Fモジュール
102 有線I/Fモジュール
103 アンテナ壁面端子
110 サーバ機器（HDDレコーダ）
111 無線I/Fモジュール
112 有線I/Fモジュール
113 アンテナ壁面端子
120 無線アクセスポイント
130 分配器
140 アンテナ
201 ディスプレイ
202 ユーザI/F部
203 GUI画面生成部
204 制御部
205 切換制御部
206 無線I/F部
207 有線I/F部
208 デコーダ部
301 リモコン
302 テレビ
303 入力切換メニュー画面
501 無線I/F部
502 有線I/F部
503 ハードディスクドライブ（HDD）
504 電源部
505 切換制御部
506 制御部
801 機器情報テーブル
802 機器情報抽出部
803 変調部
901 復調部
902 固有情報ROM
903 比較部
【図１】
2011103590.tif 000003
【図２】
2011103590.tif 000004
【図５】
2011103590.tif 000005
【図６】
2011103590.tif 000006
【図７】
2011103590.tif 000007
【図８】
2011103590.tif 000008
【図９】
2011103590.tif 000009
【図３】
2011103590.tif 000010
【図４】
2011103590.tif 000011